(57)【要約】  【課題】  挿入された光ディスクに対する適切なデフォーカス調整を簡単且つ短時間に行うことができ、前記デフォーカス調整にて決定されたデフォーカス値をフォーカスバイアス値として利用することで、光ディスクからのデータの読出し又は光ディスクへのデータの書き込み品質を向上させることができる光ディスク装置及びデフォーカス調整方法を提供する。  【解決手段】  光ディスク装置ＰＬが円滑に動作するためのデフォーカス値の範囲ｄｅｆＢＴをメモリ部Ｍｅに格納する工程と、光ディスク装置ＰＬに挿入された光ディスクＤｓのデフォーカス値ｄｅｆを測定する工程と、デフォーカス値ｄｅｆとデフォーカス値の範囲ｄｅｆＢＴを比較する工程と、最良のデフォーカス値を決定する工程と、最良のデフォーカス値をフォーカシングバイアス値として利用する工程とを備えるデフォーカス調整方法。【選択図】      図３
2006216115.tif 000002
【特許請求の範囲】
【請求項１】
光ディスクを回転させるスピンドルモータと、アクチュエータを備え前記光ディスクに
レーザ光を照射し情報を読出す又は書き込む光ヘッドと、
前記アクチュエータをサーボ制御する光ヘッドサーボ制御部と、前記スピンドルモータ
の回転を制御するスピンドルモータ制御部と、前記光ヘッドのレーザ光源から照射される
レーザ光を制御するレーザ光制御部と、前記受光素子より送られてきた信号を処理する信
号処理部とを有するフロントエンドと、
映像及び音声等のソース信号を処理するバックエンドと、
前記フロントエンド及び前記バックエンドとを制御する主制御部と、
各種データを保管するメモリ部とを有し、
前記メモリ部には前記光ディスク装置のＲＦ信号の振幅が最大になるとき、トラッキン
グエラー信号の振幅が最大になるとき、ジッターの値が最良になるとき及びエラーレート
が最良のときのそれぞれのときのデフォーカス値を測定し、その各デフォーカス値より決
定された該光ディスク装置が円滑に動作するために適切なデフォーカス値の範囲が与えら
れており、
前記主制御部はあらかじめ記録されている光ディスクのデータの読出しを行うときは、
該光ディスク装置に挿入された光ディスクのＲＦ信号の振幅が最大のときのデフォーカス
調整値を測定し、光ディスクにデータを書き込むときは、該光ディスク装置に挿入された
光ディスクのトラッキングエラー信号の振幅が最大のときのデフォーカス調整値を測定し
、それぞれのデフォーカス調整値が前記デフォーカス値の範囲に入っているときは該デフ
ォーカス調整値ををフォーカシングバイアス値として利用し、入ってないときは該デフォ
ーカス値の範囲に入るようにデフォーカス調整値を設定し、フォーカシングバイアス値と
して利用することを特徴とする光ディスク装置。
【請求項２】
アクチュエータを備え、光ディスクにレーザ光を照射し情報を読出す又は書き込む光ヘ
ッドと、
前記アクチュエータをサーボ制御する光ヘッドサーボ制御部と、前記スピンドルモータ
の回転を制御するスピンドルモータ制御部と、前記光ヘッドのレーザ光源から照射される
レーザ光を制御するレーザ光制御部と、前記受光素子より送られてきた信号を処理する信
号処理部とを備えるフロントエンドと、
前記光ディスク装置のＲＦ信号の振幅が最大になるとき、トラッキングエラー信号の振
幅が最大になるとき、ジッターの値が最良になるとき及びエラーレートが最良のときのそ
れぞれのときのデフォーカス値を測定し、その各デフォーカス値より決定された該光ディ
スク装置が円滑に動作するために適切なデフォーカス値の範囲が与えられるメモリ部と、
主制御部とを有し、
前記主制御部は光ディスク装置に挿入された光ディスクのＲＦ信号の振幅最大またはト
ラッキングエラー信号の振幅最大のときのデフォーカス調整値を測定し、前記適切なデフ
ォーカス値の範囲と比較してデフォーカス調整値を設定し、その値をフォーカシングバイ
アス値として利用することを特徴とする光ディスク装置。
【請求項３】
光ディスクにレーザ光を照射することでデータを読み出す又は書き込む光ディスク装置
において、
前記光ディスク装置のＲＦ信号の振幅最大のときのデフォーカス調整値を測定する工程
と、
前記光ディスク装置のトラッキングエラー信号の振幅最大のときのデフォーカス調整値
を測定する工程と、
前記光ディスク装置のジッター値が最良のときのデフォーカス調整値を測定する工程と
、
前記光ディスク装置のエラーレートが最良のときのデフォーカス調整値を測定する工程
と、
前記各工程で測定されたデフォーカス調整値をもとに前記光ディスク装置が円滑に動作
するための適切なデフォーカス値の範囲を決定し前記メモリ部に格納する工程と、
光ディスクからデータを読み出すとき、挿入された光ディスクのＲＦ信号の振幅が最大
になるときのデフォーカス調整値を測定する工程と、
光ディスクにデータを書き込むとき、挿入された光ディスクのトラッキングエラー信号
の振幅が最大になるときのデフォーカス調整値を測定する工程と、
前記ＲＦ信号の振幅最大のときのデフォーカス値又は前記トラッキングエラー信号の振
幅最大のときのデフォーカス調整値と前記適切なデフォーカス値の範囲と比較する工程と
、
前記適切なデフォーカス値の範囲内に入るデフォーカス調整値を決定する工程と、
前記適切な出フォーカス値の範囲内に入るデフォーカス調整値をフォーカシングバイア
ス値として利用する工程とを備えることを特徴とするデフォーカス調整方法。
【請求項４】
光ディスクにレーザ光を照射することでデータを読み出す又は書き込む光ディスク装置
において、
前記光ディスク装置が円滑に動作するための適切なデフォーカス値の範囲をメモリ部に
格納する工程と、
前記光ディスク装置に挿入された光ディスクのデフォーカス調整値を測定する工程と、
前記デフォーカス調整値と前記適切なデフォーカス値の範囲を比較する工程と、
デフォーカス調整値を決定する工程と、
前記適切な出フォーカス値の範囲内に入るデフォーカス調整値をフォーカシングバイア
ス値として利用する工程とを備えることを特徴とするデフォーカス調整方法。
【請求項５】
前記光ディスクが円滑に動作するための適切なデフォーカス値の範囲は、前記光ディス
ク装置のＲＦ信号の振幅が最大になるときのデフォーカス調整値と、トラッキングエラー
信号の振幅が最大になるときのデフォーカス調整値と、ジッター値が最良になるときのデ
フォーカス調整値と、エラーレート最良になるときのデフォーカス調整値とをもとに決定
することを特徴とする請求項４に記載のデフォーカス調整方法。
【請求項６】
前記挿入された光ディスクのデフォーカス調整値の測定工程では、該挿入された光ディ
スクからデータを読み出すときには、デフォーカス調整値としてＲＦ信号の振幅が最大の
ときのデフォーカス調整値を測定し、前記挿入された光ディスクにデータを書き込むとき
には、デフォーカス調整値としてトラッキングエラー信号の振幅が最大のときのデフォー
カス調整値を測定することを特徴とする請求項４又は請求項５に記載のデフォーカス調整
方法。
【発明の詳細な説明】
【技術分野】
【０００１】
本発明は、光ディスクにレーザ光を照射することでデータの記録及び（又は）読出しを
行うことができる光ディスク装置及び光ディスク装置のデフォーカス調製方法に関するも
のである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図１に光ディスク装置の配置図を示す。図１に示す光ディスク装置ＰＬは、光ディスク
Ｄｓを回動させるスピンドルモータＳｐと、光ディスクＤｓにレーザ光を照射し反射光を
検出する光ヘッド１と、スピンドルモータＳｐ及び光ヘッド１を制御するフロントエンド
３と、映像及び音声等のソース信号を処理するバックエンド４と、フロントエンド３及び
バックエンド４を制御する主制御部Ｍｃと、各種データを保管するメモリ部Ｍｅとを有し
ている。光ヘッド１は焦点位置（レーザスポット）の位置を変えるためのアクチュエータ
２を有している。図中実線は映像、音声信号等のソース信号の流れる経路であり、一点鎖
線は制御信号又は駆動信号の流れる経路である。
【０００４】
フロントエンド３は光ヘッド１のアクチュエータ２を制御する光ヘッドサーボ制御部３
１と、スピンドルモータＳｐの回転を制御するスピンドルモータ制御部３２と、光ヘッド
１からのレーザ光を制御するレーザ光制御部３３と、光ヘッド１にて光電変換された光電
変換信号を受信する信号を変調するともに、ＲＦ信号、トラッキングエラー信号とを抽出
する信号処理部３４とを備えている。
【０００５】
バックエンド４はフロントエンド３から送られてきた信号を復号化するデコーダ４１と
、光ディスクＤｓに記録するデータを暗号化するエンコーダ４２と、デコーダ４１にて処
理されたデータを外部機器に出力する又は外部機器より入力されたデータをエンコーダ４
２に入力する入出力部４３とを有している。
【０００６】
光ヘッド１から照射されるレーザ光の焦点距離は光ヘッド１ごとに一定である。レーザ
光が光ディスクＤｓの所定の位置に最適なレーザスポットを形成して照射されるように、
アクチュエータ２を駆動し焦点位置を光軸方向に移動させ、レーザ光の集光部（レーザス
ポット）を光ディスクＤｓの最適な位置を調整するデフォーカス調整が行われる。アクチ
ュエータ２は磁界内に配置されたコイルであり、電流を流すことで、軸方向に移動させる
ことができる。デフォーカス値とはアクチュエータ２に流すバイアス電流の値であり、デ
フォーカス調整はディスクを挿入するごとに行われるものである。
【０００７】
記録済みの光ディスクＤｓを再生する場合、光ディスク装置のフロントエンドにおいて
、ジッター値が最良（ジッター値が最小）、エラーレートの値が最良（エラーレート最小
）となるようにデフォーカス値を決定する。すなわち、信号処理部３４で受信するＲＦ信
号の振幅が最大になるようにデフォーカス値を決定する。デフォーカス値の測定手順は次
のとおりである。
【０００８】
光ヘッドサーボ制御部３１で光ヘッド１のアクチュエータ２にフォーカスサーボ制御信
号を送信し、レーザ光の焦点（レーザスポット）の照射位置を変える。この状態で光ディ
スクＤｓを回転させて光ディスクＤｓにレーザ光を照射し、その反射光を光ヘッド１にて
測定する。このとき、光ヘッド１で反射光が光電変換されるとともに、変換された光電変
換信号は信号処理部３４に送られる。
【０００９】
信号処理部３４は入力された光電変換信号よりＲＦ信号を抽出し、そのＲＦ信号の振幅
値を主制御部Ｍｃに送る。主制御部ＭｃはＲＦ信号の振幅が最大値になったときの光ヘッ
ドサーボ制御部３１よりアクチュエータ２に出力されるデフォーカス値を最適なデフォー
カス値としメモリ部Ｍｃに記憶させる。
【００１０】
光ディスクＤｓの情報の読出しを行うとき、主制御部Ｍｃは最適なデフォーカス値をメ
モリ部Ｍｃより読み出して、フォーカシングバイアス値として光ヘッドサーボ制御部３１
に送る。光ヘッドサーボ制御部３１は主制御部Ｍｃより送られてきたフォーカシングバイ
アス値を使用して光ヘッド１のアクチュエータ２を制御する。
【００１１】
また、記録されていない光ディスクに記録を行う場合、ＲＦ信号を検出することができ
ないので、ＴＥ（トラッキングエラー）信号にてデフォーカス値を決定する。光ヘッドサ
ーボ制御部３１で光ヘッド１のアクチュエータ２にフォーカスサーボ制御信号を送信し、
レーザ光の焦点（レーザスポット）の照射位置を変える。この状態で光ディスクＤｓを回
転させて光ディスクＤｓにレーザ光を照射し、その反射光を光ヘッド１にて測定する。こ
のとき、光ヘッド１で反射光が光電変換されるとともに、変換された光電変換信号は信号
処理部３４に送られる。
【００１２】
信号処理部３４は入力された光電変換信号よりＴＥ信号を抽出し、そのＴＥ信号の振幅
値を主制御部Ｍｃに送る。主制御部ＭｃはＴＥ信号の振幅が最大値になったときの光ヘッ
ドサーボ制御部３１よりアクチュエータ２に出力されるデフォーカス値を最適なデフォー
カス値としメモリ部Ｍｃに記憶させる。
【００１３】
光ディスクＤｓにデータを記録するとき、主制御部Ｍｃは最適なデフォーカス値をメモ
リ部Ｍｅより読み出して、フォーカシングバイアス値として光ヘッドサーボ制御部３１に
送る。光ヘッドサーボ制御部３１は主制御部Ｍｃより送られてきたフォーカシングバイア
ス値を使用して光ヘッド１のアクチュエータ２を制御する。
【特許文献１】特開2002-358676号公報
【特許文献２】特開2002-117568号公報
【発明の開示】
【発明が解決しようとする課題】
【００１４】
しかしながら、光ヘッド１には構成部材の製造誤差や組立誤差等により、必ずしも、Ｒ
Ｆ信号の振幅が最大又はＴＥ信号の振幅が最大のときが、ジッター値が最良且つエラーレ
ートが最良とはならない。記録済み光ディスクのデータを読み出すときのデフォーカス値
をＲＦ信号の振幅最大のときのデフォーカス値を用い、未記録の光ディスクにデータを記
録するときのデフォーカス値をＴＥ信号の振幅最大のときのデフォーカス値が必ずしも最
良のデフォーカス値でない場合があった。
【００１５】
すなわち、以上のＲＦ信号の振幅最大のとき又はＴＥ信号の振幅最大のときのデフォー
カス値をフォーカシングバイアス値として用いると、記録済み光ディスクからのデータの
読出し時における読出しエラーが多数発生したり、未記録光ディスクへのデータの書き込
み時に書き込みエラーが多数発生したりして、光ディスク装置の動作の安定性及び（又は
）信頼性が低下する場合があった。
【００１６】
そこで本発明は、挿入された光ディスクに対する適切なデフォーカス調整を簡単且つ短
時間に行うことができ、前記デフォーカス調整にて決定されたデフォーカス値をフォーカ
スバイアス値として利用することで、光ディスクからのデータの読出し又は光ディスクへ
のデータの書き込み品質を向上させることができる光ディスク装置及びデフォーカス調整
方法を提供することを目的とする。
【課題を解決するための手段】
【００１７】
上記目的を達成するために本発明は、光ディスクを回転させるスピンドルモータと、ア
クチュエータを備え前記光ディスクにレーザ光を照射し情報を読出す又は書き込む光ヘッ
ドと、前記アクチュエータをサーボ制御する光ヘッドサーボ制御部と、前記スピンドルモ
ータの回転を制御するスピンドルモータ制御部と、前記光ヘッドのレーザ光源から照射さ
れるレーザ光を制御するレーザ光制御部と、前記受光素子より送られてきた信号を処理す
る信号処理部とを有するフロントエンドと、映像及び音声等のソース信号を処理するバッ
クエンドと、前記フロントエンド及び前記バックエンドとを制御する主制御部と、各種デ
ータを保管するメモリ部とを有し、前記メモリ部には前記光ディスク装置のＲＦ信号の振
幅が最大になるとき、トラッキングエラー信号の振幅が最大になるとき、ジッターの値が
最良になるとき及びエラーレートが最良のときのそれぞれのときのデフォーカス値を測定
し、その各デフォーカス値より決定された該光ディスク装置が円滑に動作するために適切
なデフォーカス値の範囲が与えられており、前記主制御部はあらかじめ記録されている光
ディスクのデータの読出しを行うときは、該光ディスク装置に挿入された光ディスクのＲ
Ｆ信号の振幅が最大のときのデフォーカス調整値を測定し、光ディスクにデータを書き込
むときは、該光ディスク装置に挿入された光ディスクのトラッキングエラー信号の振幅が
最大のときのデフォーカス調整値を測定し、それぞれのデフォーカス調整値が前記デフォ
ーカス値の範囲に入っているときは該デフォーカス調整値ををフォーカシングバイアス値
として利用し、入ってないときは該デフォーカス値の範囲に入るようにデフォーカス調整
値を設定し、フォーカシングバイアス値として利用することを特徴とする光ディスク装置
を提供する。
【００１８】
この構成によると、ＲＦ信号の振幅又はトラッキングエラー信号の振幅が大きく、ジッ
ター値及びエラーレートが良好になるデフォーカス値を決定することができる。
【００１９】
このデフォーカス値をフォーカスバイアスとして採用することで、光ディスクからのデ
ータの読出し又は光ディスクへのデータの書き込み品質を向上させることができる。
【００２０】
上記目的を達成するために本発明は、アクチュエータを備え、光ディスクにレーザ光を
照射し情報を読出す又は書き込む光ヘッドと、前記アクチュエータをサーボ制御する光ヘ
ッドサーボ制御部と、前記スピンドルモータの回転を制御するスピンドルモータ制御部と
、前記光ヘッドのレーザ光源から照射されるレーザ光を制御するレーザ光制御部と、前記
受光素子より送られてきた信号を処理する信号処理部とを備えるフロントエンドと、前記
光ディスク装置のＲＦ信号の振幅が最大になるとき、トラッキングエラー信号の振幅が最
大になるとき、ジッターの値が最良になるとき及びエラーレートが最良のときのそれぞれ
のときのデフォーカス値を測定し、その各デフォーカス値より決定された該光ディスク装
置が円滑に動作するために適切なデフォーカス値の範囲が与えられるメモリ部と、主制御
部とを有し、前記主制御部は光ディスク装置に挿入された光ディスクのＲＦ信号の振幅最
大またはトラッキングエラー信号の振幅最大のときのデフォーカス調整値を測定し、前記
適切なデフォーカス値の範囲と比較してデフォーカス調整値を設定し、その値をフォーカ
シングバイアス値として利用することを特徴とする光ディスク装置を提供する。
【００２１】
この構成によると、ＲＦ信号の振幅又はトラッキングエラー信号の振幅が大きく、ジッ
ター値及びエラーレートが良好になるデフォーカス値を簡単に且つ短時間で決定すること
ができる。
【００２２】
このデフォーカス値をフォーカスバイアス値として採用することで、光ディスクからの
データの読出し又は光ディスクへのデータの書き込み品質を向上させることができる。
【００２３】
上記目的を達成するために本発明は、光ディスクにレーザ光を照射することでデータを
読み出す又は書き込む光ディスク装置において、前記光ディスク装置のＲＦ信号の振幅最
大のときのデフォーカス調整値を測定する工程と、前記光ディスク装置のトラッキングエ
ラー信号の振幅最大のときのデフォーカス調整値を測定する工程と、前記光ディスク装置
のジッター値が最良のときのデフォーカス調整値を測定する工程と、前記光ディスク装置
のエラーレートが最良のときのデフォーカス調整値を測定する工程と、前記各工程で測定
されたデフォーカス調整値をもとに前記光ディスク装置が円滑に動作するための適切なデ
フォーカス値の範囲を決定し前記メモリ部に格納する工程と、光ディスクからデータを読
み出すとき、挿入された光ディスクのＲＦ信号の振幅が最大になるときのデフォーカス調
整値を測定する工程と、光ディスクにデータを書き込むとき、挿入された光ディスクのト
ラッキングエラー信号の振幅が最大になるときのデフォーカス調整値を測定する工程と、
前記ＲＦ信号の振幅最大のときのデフォーカス値又は前記トラッキングエラー信号の振幅
最大のときのデフォーカス調整値と前記適切なデフォーカス値の範囲と比較する工程と、
前記適切なデフォーカス値の範囲内に入るデフォーカス調整値を決定する工程と、前記適
切な出フォーカス値の範囲内に入るデフォーカス調整値をフォーカシングバイアス値とし
て利用する工程とを備えることを特徴とするデフォーカス調整方法を提供する。
【００２４】
この構成によると、ＲＦ信号の振幅又はトラッキングエラー信号の振幅が大きく、ジッ
ター値及びエラーレートが良好になるデフォーカス調整を簡単に且つ短時間で行うことが
でき、このデフォーカス調整にて決定したデフォーカス値をフォーカスバイアスとして採
用することで、光ディスクからのデータの読出し又は光ディスクへのデータの書き込み品
質を向上させることができる。
【００２５】
上記目的を達成するために本発明は、光ディスクにレーザ光を照射することでデータを
読み出す又は書き込む光ディスク装置において、前記光ディスク装置が円滑に動作するた
めの適切なデフォーカス値の範囲をメモリ部に格納する工程と、前記光ディスク装置に挿
入された光ディスクのデフォーカス調整値を測定する工程と、前記デフォーカス調整値と
前記適切なデフォーカス値の範囲を比較する工程と、デフォーカス調整値を決定する工程
と、前記適切な出フォーカス値の範囲内に入るデフォーカス調整値をフォーカシングバイ
アス値として利用する工程とを備えることを特徴とするデフォーカス調整方法を提供する
。
【００２６】
この構成によると、前記光ディスク装置が円滑に安定して動作するためのデフォーカス
調整を簡単に且つ短時間でおこなうことができ、デフォーカス調整にて決定したデフォー
カス値をフォーカスバイアス値として採用することで、光ディスクからのデータの読出し
又は光ディスクへのデータの書き込み品質を向上させることができる。
【００２７】
上記構成において、前記光ディスクが円滑に動作するための適切なデフォーカス値の範
囲は、前記光ディスク装置のＲＦ信号の振幅が最大になるときのデフォーカス調整値と、
トラッキングエラー信号の振幅が最大になるときのデフォーカス調整値と、ジッター値が
最良になるときのデフォーカス調整値と、エラーレート最良になるときのデフォーカス調
整値とをもとに決定するものであってもよい。
【００２８】
上記構成において、前記挿入された光ディスクのデフォーカス調整値の測定工程では、
該挿入された光ディスクからデータを読み出すときには、デフォーカス調整値としてＲＦ
信号の振幅が最大のときのデフォーカス調整値を測定し、前記挿入された光ディスクにデ
ータを書き込むときには、デフォーカス調整値としてトラッキングエラー信号の振幅が最
大のときのデフォーカス調整値を測定するものであってもよい。
【発明の効果】
【００２９】
本発明によると、挿入された光ディスクに対する適切なデフォーカス値をフォーカシン
グバイアス値とすることで、光ディスクからのデータの読出し又は光ディスクへのデータ
の書き込み品質を向上させることができる光ディスク装置及びデフォーカス調整方法を提
供することができる。
【００３０】
また本発明は、挿入された光ディスクに対する適切なデフォーカス調整を簡単且つ短時
間に行うことができ、前記デフォーカス調整にて決定されたデフォーカス値をフォーカス
バイアス値として利用することで、光ディスクからのデータの読出し又は光ディスクへの
データの書き込み品質を向上させることができる光ディスク装置及びデフォーカス調整方
法をを提供することができる。
【発明を実施するための最良の形態】
【００３１】
以下に本発明の実施形態を図面を参照して説明する。図１に本発明にかかる光ディスク
装置の配置図を示す。図１に示す光ディスク装置ＰＬは基本構成は従来の光ディスク装置
と同一の構成を有している。すなわち、光ディスクＤｓを回転させるスピンドルモータＳ
ｐと、光ディスクＤｓに光を照射し情報を読出す光ヘッド１と、スピンドルモータＳｐ及
び光ヘッド１を制御するフロントエンド３と、映像及び音声等のソース信号を処理するバ
ックエンド４と、フロントエンド３及びバックエンド４を制御する主制御部Ｍｃと、各種
データを保管するメモリ部Ｍｅとを有している。光ヘッド１は焦点位置（レーザスポット
）の位置を変えるためのアクチュエータ２を有している。図中実線は映像、音声信号等の
ソース信号の流れる経路であり、一点鎖線は制御信号又は駆動信号の流れる経路である。
【００３２】
フロントエンド３は光ヘッド１のアクチュエータ２を制御する光ヘッドサーボ制御部３
１と、スピンドルモータＳｐの回転を制御するスピンドルモータ制御部３２と、光ヘッド
１からのレーザ光を制御するレーザ光制御部３３と、光ヘッド１にて変換された光電変換
信号を変調するともに、ＲＦ信号、トラッキングエラー信号とを抽出する信号処理部３４
とを備えている。
【００３３】
バックエンド４はフロントエンド３から送られてきた符号化データをソース信号に復号
するデコーダ４１と、光ディスクＤｓに記録するソース信号を符号化するエンコーダ４２
と、デコーダ４１にて復号化されたソース信号を外部機器に出力する又は外部機器より入
力されたデータをエンコーダ４２に入力する入出力部４３とを有している。
【００３４】
光ディスク装置ＰＬにおいて、光ディスクＤｓに記録されているデータを読み出す場合
、まず、主制御部Ｍｃはスピンドルモータ制御部３２に制御信号を送信する。スピンドル
モータ制御部３２はスピンドルモータＳｐに駆動信号を送信しスピンドルモータＳｐを駆
動する。このとき主制御部Ｍｃは光ヘッドサーボ制御部３１及びレーザ光制御部３３に制
御信号を送る。
【００３５】
制御信号を受信したレーザ光制御部３３は光ヘッド１に駆動信号を発信し、駆動信号を
受信した光ヘッド１は光ディスクＤｓに対してレーザ光を照射させる。一方、光ヘッドサ
ーボ制御部３１は制御信号を受信すると、アクチュエータ２にサーボ制御信号を出力しレ
ーザ光が光ディスクＤｓの記録面に最適な状態で照射されるように制御する。また、光ヘ
ッドサーボ制御部３１は光ヘッド１からのＲＦ信号をもとに、レーザ光の照射が最適にな
るようにアクチュエータ２をサーボ制御している。
【００３６】
光ディスクＤｓの記録面で反射したレーザ光は光ヘッド１で光電変換信号に変換され、
フロントエンド３に送信される。光電変換信号はフロントエンド３の信号処理部３４に入
力されデジタル信号に復調され、バックエンド４に送られる。バックエンド４に入力した
信号はデコーダ４１で映像データ、音楽データ等のソース信号に復号化（デコード）され
る。デコーダ４１で復号化されたデータは入出力部４３に送られ、データを外部機器で再
生できる形式（例えば、ＣＲＴモニター、液晶モニター等で再生できる形式）に変換され
外部機器へ出力される。
【００３７】
光ディスクＤｓに記録する場合、外部機器からのソースデータが入出力部４３に入力し
、エンコーダ４２に送られる。エンコーダ４２では光ディスクＤｓに記録するためのデー
タ方式に暗号化（エンコード）され、信号処理部３４に送られる。信号処理部３４ではエ
ンコードされたソースデータを変調信号に変換し、レーザ光制御部３３に送る。レーザ光
制御部３３は入力した変調信号をもとに、光ヘッド１に駆動信号を送る。光ヘッド１は駆
動信号を受けて所定のタイミングで光ディスクに対してレーザ光を照射することで、光デ
ィスクＤｓにデータを記録する。
【００３８】
光ヘッド１から光ディスクＤｓにレーザ光が照射されるときに主制御部Ｍｃは光ヘッド
サーボ制御部３１及びスピンドルモータ制御部３２に制御信号を出力する。スピンドルモ
ータ制御部３２は制御信号を受信すると、スピンドルモータＳｐに駆動信号を出力し、ス
ピンドルモータＳｐを回動させ光ディスクＤｓを所定の速度で回転させる。一方、光ヘッ
ドサーボ制御部３１は制御信号を受信すると、アクチュエータ２にサーボ制御信号を出力
しレーザ光が光ディスクＤｓの記録面に最適な状態で照射されるように制御する。また、
光ヘッドサーボ制御部３１は光ヘッド１からのＴＥ信号をもとに、レーザ光の照射が最適
になるようにアクチュエータ２をサーボ制御している。
【００３９】
光ディスク装置ＰＬにおいて、光ディスクＤｓからのデータの読出し／書き込みを行う
場合、レーザ光の焦点（レーザスポット）が光ディスクＤｓの記録層に照射されるように
、光ヘッド１の対物レンズを光ディスクＤｓに近づけたり遠ざけたりすることで最適な場
所を調整するデフォーカス調整を行う。図２に本発明にかかる光ディスク装置へデフォー
カス値の範囲を組み込む工程のフローチャートを示す。
【００４０】
光ディクス装置の組立が終了したのちにテストディスクを挿入し（ステップＳ１１）、
光ヘッドサーボ制御部３１よりアクチュエータ２に対してデフォーカス値（レーザスポッ
トをずらすために必要な電圧値）を変化させるフォーカスサーボ制御信号を出力し、その
ときのＲＦ信号の振幅を測定する（ステップＳ１２）。ＲＦ信号の振幅が最大になるとき
のデフォーカス値をデフォーカス調整値ｄｅｆＲＦとして記憶する（ステップＳ１３）。
【００４１】
次に、光ヘッドサーボ制御部３１よりアクチュエータ２に対してデフォーカス値（レー
ザスポットをずらすために必要な電圧値）を変化させるフォーカスサーボ制御信号を出力
し、そのときのＴＥ信号の振幅を測定する（ステップＳ１４）。ＴＥ信号の振幅が最大に
なるときのデフォーカス値をデフォーカス調整値ｄｅｆＴＥとして記憶する（ステップＳ
１５）。
【００４２】
図示を省略した測定装置を光ディスク装置ＰＬに接続する（ステップＳ１６）。光ヘッ
ドサーボ制御部３１よりアクチュエータ２に対してデフォーカス値（レーザスポットをず
らすために必要な電圧値）を変化させるフォーカスサーボ制御信号を出力し、そのときの
ジッターを測定する（ステップＳ１７）。ジッターが最良（ジッターの値が最小）になる
ときのデフォーカス値をデフォーカス調整値ｄｅｆＪＩとして記憶する（ステップＳ１８
）。
【００４３】
光ヘッドサーボ制御部３１よりアクチュエータ２に対してデフォーカス値（レーザスポ
ットをずらすために必要な電圧値）を変化させるフォーカスサーボ制御信号を出力し、そ
のときのエラーレートを測定する（ステップＳ１９）。エラーレートが最良（エラーレー
トが最小）になるときのデフォーカス値をデフォーカス調整値ｄｅｆＥＲとして記憶する
（ステップＳ１１０）。
【００４４】
以上記憶したデフォーカス調整値ｄｅｆＲＦ、ｄｅｆＴＥ、ｄｅｆＪＩ、ｄｅｆＥＲの
値をもとにして、光ヘッド１の動作するのに適切なデフォーカス値の範囲ｄｅｆＢＴを決
定する（ステップＳ１１１）。適切なデフォーカス値の範囲ｄｅｆＢＴをメモリ部Ｍｅに
格納する（ステップＳ１１２）。
【００４５】
このようにＲＦ信号、ＴＥ信号、ジッター、エラーレートのそれぞれの値が光ヘッド１
で光ディスクＤｓからのデータの読出し又は光ディスクＤｓへのデータの書き込みに高い
効率を示すことができるデフォーカス値の範囲ｄｅｆＢＴをメモリ部Ｍｅに格納して光デ
ィスク装置ＰＬの製造が完了する。
【００４６】
図３に本発明にかかる光ディスク装置の駆動時のデフォーカス値（フォーカシングバイ
アス）の設定の手順のフローチャートを示す。光ディスク装置ＰＬに電力を投入し、光デ
ィスクを挿入する（ステップＳ２１）。このとき、光ディスク装置ＰＬがステップＳ２１
で挿入された光ディスクＤｓからデータを読み出すのか、光ディスクＤｓに記録するのか
判別する（ステップＳ２２）。
【００４７】
光ディスクＤｓからデータを読み出す（ステップＳ２２でＹＥＳ）の場合、光ヘッドサ
ーボ制御部３１よりアクチュエータ２にフォーカスサーボ制御信号を出力しレーザスポッ
トの位置を変更し、ＲＦ信号の振幅が最大になるときのデフォーカス値ｆｏｒ１を測定し
（ステップＳ２３）、デフォーカス値ｆｏｒ１をデフォーカス調整値ｄｅｆとする（ステ
ップＳ２４）。
【００４８】
光ディスクＤｓにデータを記録する（ステップＳ２２でＮＯ）の場合、光ヘッドサーボ
制御部３１よりアクチュエータ２にフォーカスサーボ制御信号を出力しレーザスポットの
位置を変更し、ＴＥ信号の振幅が最大になるときのデフォーカス値ｆｏｒ２を測定し（ス
テップＳ２５）、デフォーカス値ｆｏｒ２をデフォーカス調整値ｄｅｆとする（ステップ
Ｓ２６）。
【００４９】
メモリ部Ｍｅに格納されている光ヘッド１の適切なデフォーカス値の範囲ｄｅｆＢＴを
呼び出す（ステップＳ２７）。ステップＳ２４又はステップＳ２６で設定されたデフォー
カス調整値ｄｅｆが適切なデフォーカス値の範囲ｄｅｆＢＴ内に入っているかどうか判別
する（ステップＳ２８）。デフォーカス調整値ｄｅｆが適切なデフォーカス値の範囲ｄｅ
ｆＢＴ内に入っていない（ステップＳ２８でＮＯの場合）、デフォーカス調整値ｄｅｆと
して適切なデフォーカス値の範囲ｄｅｆＢＴの範囲内に入る数値に置きかえる（ステップ
Ｓ２９）。
【００５０】
デフォーカス調整値ｄｅｆが適切なデフォーカス値の範囲ｄｅｆＢＴ内に入っている（
ステップＳ２８でＹＥＳ）の場合、及び、ステップＳ２９でデフォーカス調整値ｄｅｆを
設定した後、光ヘッド１を駆動するときのフォーカスバイアス値としてデフォーカス調整
値ｄｅｆを用いる（ステップＳ２１０）。光ヘッド１を駆動し、データの読み出し又は記
録を開始する（ステップＳ２１１）。
【００５１】
以上のようにして、デフォーカス調整値ｄｅｆをＲＦ信号の振幅が最大のときの値又は
ＴＥ信号の振幅が最大のときの値を予め与えられている光ヘッド１の駆動に適切なデフォ
ーカス値の範囲ｄｅｆＢＴに入っているかどうか判別し、入っていない場合は、適切なデ
フォーカス値の範囲ｄｅｆＢＴに入る値を利用することで、ＲＦ信号又はＴＥ信号は基準
値の範囲内であるが、ジッター及び（又は）エラーレートが基準値の範囲内からずれる不
具合を低減することが可能である。
【産業上の利用可能性】
【００５２】
本発明のデフォーカス調整方法は、ＤＶＤ、ＣＤ、ＬＤ等の光ディスクにレーザ光を照
射して情報を読み出したり、書込み可能な光ディスクに情報を記録したりする光ディスク
装置において適用することができる。
【図面の簡単な説明】
【００５３】
【図１】光ディスク装置の配置図である。
【図２】本発明にかかる光ディスク装置へデフォーカス値の範囲を組み込む工程のフローチャートである。
【図３】本発明にかかる光ディスク装置の駆動時のデフォーカス値（フォーカシングバイアス）の設定の手順のフローチャートである。
【符号の説明】
【００５４】
ＰＬ  光ディスク装置
Ｓｐ  スピンドルモータ
Ｍｅ  メモリ部
Ｍｃ  主制御部
Ｄｓ  光ディスク
１  光ヘッド
２  アクチュエータ
３  フロントエンド
３１  光ヘッドサーボ制御部
３２  スピンドルモータ制御部
３３  レーザ光制御部
３４  信号処理部
４  バックエンド
４１  デコーダ
４２  エンコーダ
４３  入出力部
【図１】
2006216115.tif 000003
【図２】
2006216115.tif 000004
【図３】
2006216115.tif 000005